(57)【要約】【課題】開時に扉が筐体の一側部外面から外側に大きく突出するのを防止するとともに、安価に製造することができる機器用ケースを提供する。【解決手段】筐体２の側板部２１に扉３をヒンジ装置４を介して水平方向へ回動可能に連結する。ヒンジ装置４のヒンジ本体５は、筐体２の側板部２１の内面に取り付ける。ヒンジ装置４のソケット６は、扉３の背面３ａに取り付ける。ヒンジ本体５には、内側リンク７及び外側リンク８の各基端部を第１、第３軸９１，９３を介してそれぞれ回動可能に連結する。内側リンク７及び外側リンク８の各先端部は、第２、第４軸９２，９４を介してソケット６に回動可能に連結する。第１〜第４軸９１〜９４は、扉３が閉位置に位置しているときには扉３の瞬間回転中心Ｃが側板部２１の外面より外側に位置し、扉３が開位置に位置しているときには扉３の瞬間回転中心Ｃが側板部２１の外面より内側に位置するように、配置する。【選択図】　　　　図１
2004124455.tif 000002
【特許請求の範囲】
【請求項１】
前面に開口部を有する筐体と、この筐体の一側部にヒンジ装置を介してほぼ水平方向へ回動可能に連結され、背面が上記筐体の前面にほぼ接触することによって上記筐体の開口部を閉じた閉位置と、上記筐体の開口部を開いた開位置との間を回動可能である扉と、上記筐体の開口部の内面と上記扉の背面との少なくとも一方に設けられ、上記筐体の開口部の少なくとも上記ヒンジが設けられた内面に沿って延びる防犯プレートとを備え、上記防犯プレートの上記一方から他方側へ突出させられた一側部が、上記扉が閉位置に回動したときに他方の内部に入り込む機器用ケースにおいて、
上記ヒンジ装置が、先端部が上記筐体の前面から前方へ突出した状態で上記筐体の一側部内面に取り付けられたヒンジ本体と、上記扉の背面の一側部に取り付けられたソケットと、基端部が上記ヒンジ本体の先端部にほぼ上下方向を向く第１軸を介して回動可能に連結され、先端部が上記第１軸と平行な第２軸を介して上記ソケットに回動可能に連結された内側リンクと、基端部が上記ヒンジ本体の先端部に上記第１軸に対して平行に、かつ前方に配置された第３軸を介して回動可能に連結され、先端部が上記第１軸と平行な第４軸を介して上記ソケットに回動可能に連結された外側リンクとを有し、上記第１軸〜第４軸が、上記扉が閉位置に位置しているときには、上記扉の瞬間中心が上記筐体の一側部外面より外側に位置し、上記扉が開位置に位置しているときには、上記扉の瞬間中心が上記筐体の一側部外面より内側に位置するように、配置されていることを特徴とする機器用ケース。
【請求項２】
上記防犯プレートとして、上記筐体の開口部の内面に設けられた筐体側防犯プレートと、上記扉の背面に設けられた扉側防犯プレートとが用いられ、上記扉を閉位置に回動させたとき、上記扉側防犯プレートの一側部が上記筐体側防犯プレートの一側部の内側に入り込むように構成されていることを特徴とする請求項１に記載の機器用ケース。
【請求項３】
上記内側リンクの中間部には、上記扉を開位置に回動させたときに上記扉側防犯プレートの一側部が突き当たるのを回避するための逃げ凹部が形成されていることを特徴とする請求項２に記載の機器用ケース。
【請求項４】
上記内側リンクと上記外側リンクとの少なくとも一方が、上下方向に対向する一対の側板部と、この一対の側板部の一側部どうしを連結する連結板部とによって断面「コ」字状に形成され、かつ開放部を他方側に向けて配置され、上記他方の一部が上記一方の一対の側板部間に上記開放部から入り込んで当該一対の側板部の対向する内面に接触するように構成されていることを特徴とする請求項１〜３のいずれかに記載の機器用ケース。
【発明の詳細な説明】
【０００１】
【発明の属する技術分野】
この発明は、パチンコ機、パチスロ機等の遊技機あるいは自動販売機のような内部に各種の機器が収容される機器用ケースに関する。
【０００２】
【従来の技術】
一般に、この種の機器用ケースは、前面が開口した箱状をなす筐体と、この筐体の一側部にヒンジ装置を介して水平方向へ回動可能に連結された扉とを有しており、扉はその背面が筐体の前面に突き当たって筐体の開口部を閉じた閉位置と、この閉位置からほぼ９０°開いた開位置との間を回動可能になっている。
【０００３】
このような機器用ケースが例えばパチンコ機に用いられた場合において、仮に扉を開いたときに扉が筐体の側壁の外面から外側へ向って大きく突出すると、扉の前面に設けられた玉受け等の各種の部材が隣接するパチンコ機の扉にぶつかって破損したり、あるいは隣接するパチンコ機で遊戯する遊戯者の邪魔になる等の問題が生じる。そこで、従来の機器用ケースでは、筐体と扉とにそれぞれ取り付けられたヒンジ本体とソケットとを４つのリンクと７つの軸とで連結したいわゆる７軸ヒンジ装置によって扉を筐体に回動可能に連結していた（例えば、特許文献１参照。）。
【０００４】
【特許文献１】
特許第３０２５３８８号公報（第１図〜第３図）
【０００５】
【発明が解決しようとする課題】
７軸ヒンジ装置は、部品点数が多く、構造が複雑であるため高価である。このため、機器用ケースの製造費が高騰するという問題があった。また、７軸ヒンジ装置を用いた場合には、リンクが筐体の側壁内面から内側へ向って大きく突出するため、機器を収容する筐体内の有効利用空間が狭くなってしまうという問題があった。
【０００６】
【課題を解決するための手段】
この発明は、上記の問題を解決するために、前面に開口部を有する筐体と、この筐体の一側部にヒンジ装置を介してほぼ水平方向へ回動可能に連結され、背面が上記筐体の前面にほぼ接触することによって上記筐体の開口部を閉じた閉位置と、上記筐体の開口部を開いた開位置との間を回動可能である扉と、上記筐体の開口部の内面と上記扉の背面との少なくとも一方に設けられ、上記筐体の開口部の少なくとも上記ヒンジが設けられた内面に沿って延びる防犯プレートとを備え、上記防犯プレートの上記一方から他方側へ突出させられた一側部が、上記扉が閉位置に回動したときに他方の内部に入り込む機器用ケースにおいて、上記ヒンジ装置が、先端部が上記筐体の前面から前方へ突出した状態で上記筐体の一側部内面に取り付けられたヒンジ本体と、上記扉の背面の一側部に取り付けられたソケットと、基端部が上記ヒンジ本体の先端部にほぼ上下方向を向く第１軸を介して回動可能に連結され、先端部が上記第１軸と平行な第２軸を介して上記ソケットに回動可能に連結された内側リンクと、基端部が上記ヒンジ本体の先端部に上記第１軸に対して平行に、かつ前方に配置された第３軸を介して回動可能に連結され、先端部が上記第１軸と平行な第４軸を介して上記ソケットに回動可能に連結された外側リンクとを有し、上記第１軸〜第４軸が、上記扉が閉位置に位置しているときには、上記扉の瞬間中心が上記筐体の一側部外面より外側に位置し、上記扉が開位置に位置しているときには、上記扉の瞬間中心が上記筐体の一側部外面より内側に位置するように、配置されていることを特徴としている。
この場合、上記防犯プレートとして、上記筐体の開口部の内面に設けられた筐体側防犯プレートと、上記扉の背面に設けられた扉側防犯プレートとが用いられ、上記扉を閉位置に回動させたとき、上記扉側防犯プレートの一側部が上記筐体側防犯プレートの一側部の内側に入り込むように構成されていることが望ましい。
上記内側リンクの中間部には、上記扉を開位置に回動させたときに上記扉側防犯プレートの一側部が突き当たるのを回避するための逃げ凹部が形成されていることが望ましい。
上記内側リンクと上記外側リンクとの少なくとも一方が、上下方向に対向する一対の側板部と、この一対の側板部の一側部どうしを連結する連結板部とによって断面「コ」字状に形成され、かつ開放部を他方側に向けて配置され、上記他方の一部が上記一方の一対の側板部間に上記開放部から入り込んで当該一対の側板部の対向する内面に接触するように構成されていることが望ましい。
【０００７】
【発明の実施の形態】
以下、この発明の一実施の形態について図１〜図１０を参照して説明する。
図１〜図４及び図１０に示すように、この発明に係る機器用ケース１は、筐体２、扉３及びヒンジ装置４を備えている。
【０００８】
図１０に示すように、筐体２は、左右方向に対向して上下に立設された一対の側板部２１，２１（一方の側板部２１のみ図示）と、一対の側板部２１，２１の上下の端部間にそれぞれ配置された天板部２２及び底板部２３と、側板部２１，２１、天板部２２及び底板部２３によって形成される四角形の筒体の後端開口部を閉じる背板部２４とにより、前面２ａに開口を有する直方体の箱状に形成されている。一方の側板部２１（図１０において右側の側板部２１）の内面の開口側端部には、図１〜図４に示すように、前面２ａに沿って上下に延びる凹部２５が形成されている。筐体２の内部には、筐体側防犯プレート２６が設けられている。この防犯プレート２６は、鋼板等の金属板からなるものであり、筐体２の開口部の凹部２５を含む内面に沿って環状に設けられている。防犯プレート２３の一側部は、筐体２の前面２ａから全周にわたって前方へ突出している。
【０００９】
扉３は、筐体２の開口部を開閉するためのものであり、筐体２の一側部にヒンジ装置４を介して水平方向へ回動可能に連結されている。扉３の回動範囲は、その背面３ａが筐体２の前面２ａに突き当たってその開口部を閉じた図１に示す閉位置と、その閉位置からほぼ１００°回動して筐体２の開口部を開いた開位置との間に制限されている。扉３の背面３ａには、凹部３１が形成されている。この凹部３１の開口部の形状及び大きさは、筐体２の凹部２５を含む開口部の形状及び大きさとほぼ同一に設定されている。しかも、扉３を閉位置に回動させたとき、凹部３１の周縁部が凹部２５を含む開口部の周縁部とほぼ一致するよう、凹部３１は上下方向及び左右方向において凹部２５を含む開口部とほぼ同一位置に配置されている。したがって、扉３を閉位置に回動させると、筐体側防犯プレート２３の筐体２から突出した一側部が扉３の凹部３１内に入り込む（図１参照）。
【００１０】
凹部３１内には、扉側防犯プレート３２が配置されている。扉側防犯プレート３２は、鋼板等の金属板からなるものであり、凹部３１の内面に連結部材（図示せず）を介して固定されている。ここで、防犯プレート３２は、凹部３１の内周面（側面）から若干離間した状態で固定されており、防犯プレート３２の外周面と凹部３１の内周面との間には環状の隙間が形成されている。この環状の隙間に筐体側防犯プレート２６の筐体２から突出した一側部が入り込むようになっている。扉側防犯プレート３２の一側部は、全周にわたって背面３ａから筐体２側に向って突出している。したがって、扉３を閉位置に回動させると、防犯プレート３２の一側部が全周にわたって筐体２内に入り込み、防犯プレート２６の一側部内周面と全周にわたって対向する。防犯プレート２６，３２の対向幅（筐体２の前後方向における幅）は、防犯プレート２６の筐体２からの突出量と防犯プレート３２の扉３からの突出量とを合わせた幅であり、防犯プレート２６，３２は、筐体２の前面２ａと扉３の背面３ａとの当接面を間にした前後方向の所定の範囲において重なっている。これにより、前面と扉３との間の僅かな隙間からピアノ線等が挿入されて不正行為が行われることが防止されている。なお、防犯プレート２６，３２は、不正行為を確実に防止するために、その対向方向においてできる限り近接させるのが望ましい。
【００１１】
上記ヒンジ装置４は、ヒンジ本体５、ソケット６、内側リンク７及び外側リンク８を主な構成要素としている。
【００１２】
ヒンジ本体５は、図５〜図７に示すように、互いに対向して平行に配置された一対の側板部５１，５１と、この一対の側板部５１，５１の一側部どうしを連結する連結板部５２と、側板部５１，５１の他側部にそれぞれ設けられた取付板部５３，５３とを有している。そして、ヒンジ本体５は、図１〜図４に示すように取付板部５３，５３を貫通して筐体２の側板部２１にねじ込まれたビス（図示せず）を締め付けることにより、凹部２５が形成された側板部２１の内面の開口側端部に固定されている。ヒンジ本体５は、その一対の側板部５１，５１が上下方向を向き、かつ側板部５１，５１の先端部が筐体２の前面２ａから前方へ突出するようにして取り付けられている。前面２ａから突出した側板部５１，５１の先端部は、扉３を開位置に回動させたときに扉側防犯プレート３２の扉３から突出した一側部が干渉するのを防止するために、取付板部５３側の側部が切り落とされている。なお、ヒンジ本体５は、側板部２１に固定することなく、側板部２１に着脱可能に取り付けてもよい。
【００１３】
ソケット６は、図５〜図７に示すように、互いに対向して平行に配置された一対の側板部６１，６１と、この側板部６１，６１の一側部どうしを連結する連結板部６２とを有している。側板部６１，６１の一端部の他側部には、側板部６１，６１から互いに離間するように突出する取付板部６３，６３が一体に形成されている。この取付板部６３，６３が、扉側防犯プレート３２の一部を利用して形成された取付部３２ａに固定されることにより、ソケット６が扉３の背面部の一側部（ヒンジ本体５が取り付けられた筐体２の側部と同一の側部）に防犯プレート３２を介して取り付けられている。側板部６１，６１の他端部の他側部には、当該他側部を連結板部６２と逆側へ延長してなる延長部６４，６４が形成されている。
【００１４】
内側リンク７は、図７に示すように、互いに対向して平行に配置された一対の側板部７１，７１と、この一対の側板部７１，７１の一側部どうしを連結する連結板部７２とによって断面「コ」字状に形成されている。内側リンク７は、その側板７１，７１の基端部がヒンジ本体５の側板部５１，５１の間に入り込んでそれらと上下に対向するように配置されている。しかも、扉３が閉位置に回動したときには、連結板部７２が側板部７１より前方側に位置し、したがって開放部が筐体２の後方側を向くように配置されている。内側リンク７の側板部７１，７１の基端部は、ヒンジ本体５の側板部５１，５１に上下方向を向く第１軸９１を介して水平方向へ回動可能に連結されている。内側リンク７の側板部７１，７１の先端部は、ソケット６の延長部６４，６４の先端部に第１軸９１と平行な第２軸９２を介して回動可能に連結されている。
【００１５】
外側リンク８は、図７に示すように、互いに対向して平行に配置された一対の側板部８１，８１と、この一対の側板部８１，８１の一側部どうしを連結する連結板部８２とによって断面「コ」字状に形成されている。外側リンク８は、内側リンク７より前方側に配置されている。しかも、外側リンク８は、その側板部８１，８１の基端部がヒンジ本体５の側板部５１，５１の間に入り込んでそれらと上下に対向し、かつ扉３が閉位置に回動したとき、連結板部８２が前方側に位置し、したがって開放部が内側リンク７と対向するように配置されている。外側リンク８の側板部８１，８１の基端部は、ヒンジ本体５の側板部５１，５１の先端部に第１軸９１と平行な第３軸９３を介して水平方向へ回動可能に連結されている。外側リンク８の側板部８１，８１の先端部は、第１軸９１と平行な第４軸９４を介して回動可能に連結されている。
【００１６】
上記のように構成された結果、ソケット６がヒンジ本体５に内側リンク７及び外側リンク８を介して水平方向へ回動可能に連結され、ひいては扉３が筐体２にヒンジ装置４を介して水平方向へ回動可能に連結されている。
【００１７】
外側リンク８の側板部８１，８１の外面は、ヒンジ本体５の側板部５１，５１の各内面に接触するとともに、ソケット６の延長部６４，６４の各内面に樹脂製のワッシャ９５，９５を介して接触している。一方、内側リンク７の側板部７１，７１の外面間の距離（以下、外法寸法という。）は、ヒンジ本体５の側板部５１，５１の内面間の距離（以下、内法寸法という。）、及びワッシャ９５，９５の対向面間の距離より小さく設定され、ヒンジ本体５及びソケット６に対して上下方向へ移動可能になっている。したがって、内側リンク７は扉３の重量を支えることがなく、扉３の重量は外側リンク８だけで支持されている。外側リンク８は、扉３の重量を支えるのに十分な強度を有しているが、扉３に不慮の事故によって下方を向く荷重が作用すると、図９において想像線で示すように、側板部８１，８１が変形するおそれがある。
【００１８】
このような不具合を未然に防止するために、扉３の回動位置に拘わらず、内側リンク７の側板部７１，７１の一部が外側リンク８１，８１の間に入り込むように構成され、しかも側板部７１，７１の外法寸法が側板部８１，８１の内法寸法とほぼ同一に設定されている。したがって、図８に示すように、側板部７１，７１の一部が側板部８１，８１に常時ほぼ接している。よって、側板部８１，８１が図８において想像線で示すように変形しようとすると、側板部７１，７１が側板部８１，８１に接触してこれらを補強する。したがって、扉３に下向きの荷重が作用しても外側リンク８の側板部８１，８１が変形するのを防止することができる。
【００１９】
上記第１軸９１は、この実施の形態では、前後方向において筐体２の前面２ａとほぼ同一位置に配置されている。第３軸９３は、第１軸９１より前方に配置されている。しかも、第１軸〜第４軸９１〜９４は、次の条件を満たすように配置されている。
【００２０】
すなわち、扉３が閉位置又はその近傍に位置しているときには、図１及び図２に示すように、扉３の瞬間回転中心（＝ソケット６の瞬間回転中心）Ｃが、前後方向においては筐体２の前面２ａの近傍に位置し、かつ左右方向においては筐体２の一方の側板部２１（ヒンジ本体５が取り付けられた側板部２１）の外面より外側に位置する。なお、扉３の瞬間回転中心Ｃは、第１軸９１及び第２軸９２の各中心を通る線と、第３軸９３及び第４軸９４の各中心を通る線との交点として求めることができる。扉３が開位置又はその近傍に位置しているときには、図３及び図４に示すように、扉３の瞬間回転中心Ｃが、前後方向においては筐体２の前面より前方に位置し、かつ左右方向においては筐体２の側板部２１の外面より内側に位置する。扉３の瞬間回転中心Ｃの軌跡が図４において想像線で示されている。
【００２１】
上記構成の機器用ケース１において、いま扉３が閉位置に位置しているものとする。扉３を閉位置から開位置側へ回動させる場合には、扉３の瞬間回転中心Ｃが筐体２の側板部２１の外面より外側に位置しているので、扉３は筐体２の前面２ａから前方へ向うように移動するとともに、扉側防犯プレート３２が筐体側防犯プレート２３から筐体２の左右方向内側へ移動するように、回動変位する。したがって、扉３の背面３ａが筐体２の前面２ａに干渉したり（突き当たったり）、扉側防犯プレート３２が筐体側防犯プレート２３に干渉することがなく、扉３を円滑に開位置側へ回動させることができる。
【００２２】
ここで仮に、扉３の瞬間回転中心Ｃが開位置又はその近傍においても筐体２の側板部２１の外面より外側に位置しているのであれば、扉３を開位置に回動させると、扉３全体が側板部２１の外面より外側に位置するようになってしまい、従来の技術において述べたように、機器用ケース１をパチンコ機等に用いたときに、扉３の前面に設けられた玉受け等の各種の部材が隣接するパチンコ機の扉にぶつかって破損したり、あるいは隣接するパチンコ機で遊戯する遊戯者の邪魔になる等の問題が生じる。この点、この機器用ケース１においては、扉３が開位置又はその近傍に位置したときには、扉３の瞬間回転中心Ｃが側板部２１の外面より大きく内側に位置しているので、扉４全体が側板部２１の外面から外側に位置することがなく、その一部が側板部２１の外面の外側に位置するだけである。したがって、扉３の前面に設けられた玉受け等の各種の部材が隣接するパチンコ機の扉にぶつかって破損したり、あるいは隣接するパチンコ機で遊戯する遊戯者の邪魔になったりすることがない。しかも、扉３を開位置側に回動させると、扉側防犯プレート３２の扉３の背面３ａから突出した一側部が扉３の回動に伴って内側リンク７の長手方向における中間部に接近するが、扉３が開位置に回動したときに扉側防犯プレート３２の一側部と対向する内側リンク７の一側部の中間部には、逃げ凹部７３が形成されている。これにより、扉側防犯プレート３２が内側リンク７に干渉するのを防止するようになっている。
【００２３】
また、このヒンジ本体５とソケット６とが内外２つのリンク７，８と第１〜第４の４つの軸９１〜９４とによって連結されており、用いられるリンク及び軸の数を７軸ヒンジ装置に比して大幅に減らすことができる。したがって、ヒンジ装置４の製造費を低減することができ、その分だけ機器用ケース１の製造費を低減することができる。さらに、図１〜図４から明かなように、内外二つのリンク７，８は、扉３の回動位置に拘わらず、ヒンジ本体５の連結板部５２より左右方向の外側（側板部２１側）に位置しており、連結板部５２から筐体２の内側に突出することがない。したがって、各種の機器を収容するための筐体２内の有効利用空間を広くすることができる。
【００２４】
なお、この発明は、上記の実施の形態に限定されるものでなく、適宜変更可能である。
例えば、上記の実施の形態においては、内側リンク７の基端部をヒンジ本体５に上下方向へ移動可能に取り付けているが、上下方向へ移動不能に取り付けてもよい。そのようにした場合には、内側リンク７が外側リンク８の側板部８１，８１の内面に接触しているので、外側リンク８に作用する荷重の一部を内側リンク７によって支持させることができる。
【００２５】
【発明の効果】
以上説明したように、この発明によれば、機器用ケースの製造費を低減することができ、しかも機器を収容するための筐体内の有効利用空間を広くすることができるという効果が得られる。
【図面の簡単な説明】
【図１】この発明の一実施の形態の要部を、扉を閉位置に位置させた状態で示す断面図である。
【図２】同実施の形態の要部を、扉を閉位置から僅かに開いた状態で示す断面図である。
【図３】同実施の形態の要部を、扉を半開位置に位置させた状態で示す断面図である。
【図４】同実施の形態の要部を、扉を開位置に位置させた状態で示す断面図である。
【図５】同実施の形態のにおいて用いられているヒンジ装置を、ソケットを閉位置に位置させた状態で示す斜視図である。
【図６】同ヒンジ装置を、ソケットを開位置に位置させた状態で示す斜視図である。
【図７】同ヒンジ装置の分解斜視図である。
【図８】内側リンクと外側リンクとの関係を示す図４のＸ−Ｘ線に沿う断面図である。
【図９】外側リンクを示す図８と同様の断面図である。
【図１０】この発明の一実施の形態を、扉を開いた状態で示す斜視図である。
【符号の説明】
１　機器用ケース
２　筐体
２ａ　前面
３　扉
３ａ　背面
４　ヒンジ装置
５　ヒンジ本体
６　ソケット
７　内側リンク
８　外側リンク
２１　側板部（一側部）
２３　筐体側防犯プレート
３２　扉側防犯プレート
９１　第１軸
９２　第２軸
９３　第３軸
９４　第４軸
【図１】
2004124455.tif 000003
【図２】
2004124455.tif 000004
【図３】
2004124455.tif 000005
【図４】
2004124455.tif 000006
【図５】
2004124455.tif 000007
【図６】
2004124455.tif 000008
【図７】
2004124455.tif 000009
【図８】
2004124455.tif 000010
【図９】
2004124455.tif 000011
【図１０】
2004124455.tif 000012